(57)【要約】【課題】高地で使用するテレビジョンセットであっても、簡単な手法で色むらをなくすことができるランディング補正装置及びディスプレイ装置を提供する。【解決手段】ランディング補正装置は、陰極線管のネック部に垂直に取付けた２極電磁コイルと、電子ビームを偏向させる水平・垂直同期信号に同期したタイミング信号を発生させるタイミング発生手段と、気圧に対応し且つ画面位置に対応した補正データを記憶する記憶手段と、タイミング発生手段からのタイミング信号に同期して気圧に対応した補正データを記憶手段から読み出し、この読み出した補正データに基づいて２極電磁コイルに供給する補正波形電流を生成する電流変換手段と、を備えたことである。【選択図】    図１
2005020149.tif 000002
【特許請求の範囲】
【請求項１】
陰極線管のネック部に垂直に取付けた２極電磁コイルと、
電子ビームを偏向させる水平・垂直同期信号に同期したタイミング信号を発生させるタイミング発生手段と、
気圧に対応し且つ画面を所定領域で分割した分割画面位置に対応した補正データを記憶する記憶手段と、
前記タイミング発生手段からのタイミング信号に同期して前記気圧に対応した補正データを前記記憶手段から読み出し、該読み出した補正データに基づいて前記２極電磁コイルに供給する補正波形電流を生成する電流変換手段と、
を備えたことを特徴とするランディング補正装置。
【請求項２】
陰極線管と、該陰極線管のランディング補正するランディング装置とを備えたディスプレイ装置であって、
前記ランディング補正装置は、
前記陰極線管のネック部に垂直に取付けた２極電磁コイルと、
電子ビームを偏向させる水平・垂直同期信号に同期したタイミング信号を発生させるタイミング発生手段と、
気圧に対応し且つ画面位置に対応した補正データを記憶する記憶手段と、
前記タイミング発生手段からのタイミング信号に同期して前記気圧に対応した補正データを前記記憶手段から読み出し、該読み出した補正データに基づいて前記２極電磁コイルに供給する補正波形電流を生成する電流変換手段と、
を備えたことを特徴とするディスプレイ装置。
【発明の詳細な説明】
【０００１】
【発明の属する技術分野】
本発明は、ランディング補正装置及びディスプレイ装置に関するものであり、詳しくは、気圧の変化に対応できるようにしたランディング補正装置及びディスプレイ装置に関する。
【０００２】
【従来の技術】
一般的に、地球上には地磁気による磁界が存在し、その向きと強さは地域によって異なっている。そこで、このような磁界の中に陰極線管（ＣＲＴ；Ｃａｔｈｏｄｅ  Ｒａｙ  Ｔｕｂｅ）を用いたディスプレイ装置が置かれると、その磁界の影響によって電子ビームの軌道が曲げられ、いわゆるミスランディングによって、色純度の低下などの問題を生じることになる。
特に、蛍光体ピッチの細かい高精細陰極線管では、同じミスランディング量でも色純度に与える影響が大きく、地磁気の悪影響が大きく現れてしまう。
【０００３】
そこで、従来より陰極線管において電子ビームの走査軌道を補正するランディング補正を行っており、このランディング補正を行う手法として、陰極線管のファンネルコーナー部分にランディング補正用のコイルを取付け、各コイル毎に電流の供給を制御して、ランディング補正用の電磁力を発生させることで色むらを補正するものが周知である。
【０００４】
図５は、ランディング調整装置を適用した陰極線管の一例を示したものである。
陰極線管１１１本体は、方形状の正面形状を有するフェースパネル部１１２と、フェースパネル部１１２の後方に接合されたファンネル部１１３と、ファンネル部１１３の後部に接合された電子銃１１５を内蔵したネック部１１４とから構成されている。
【０００５】
ファンネル部１１３であって、フェースパネル部１１２の背面側の四隅に対してそれぞれ第１〜第４のランディング補正コイル１１６、１１７、１１８，１１９が設けられている。
フェースパネル部１１２の周囲には第５のランディン補正コイル１２０が設けられている。
【０００６】
更に、ネック部１１４には偏向ヨーク１２１が設けられている。偏向ヨーク１２１は、図示せぬ垂直偏向コイル及び水平偏向コイル等より構成されている。
ネック部１１４の電子銃１１５の外周部位にはリング状の各種補正用磁石１２２、例えば、ピュリテイー磁石（色鈍化磁石）等が取付けられている。
【０００７】
図６は、ランディングパターン調整の構成図である。マイクロコンピュータ１３１の制御により、ドライブ回路がそれぞれ第１〜第５のランディング補正コイル１１６、１１７、１１８、１１９，１２０を駆動させる。
マイクロコンピュータ１３１には、製造時にランディングパターンを補正するための標準の調整値や、ディスプレイ装置の設置時等にサービスマン等によって調整される地磁気の影響に対するランディング補正を行うための調整値を設定するための個別調整手段が接続されている。
【０００８】
マイクロコンピュータ１３１には、個別調整手段１３３で設定されたランディング補正コイル用の各ドライブ回路に流す調整値を記憶するためのメモリ１３２が接続されている。
例えば、製造時にランディングパターンを補正するため個別調整手段１３３により設定された調整値がメモリ１３２に記憶されるようになっている。
【０００９】
製造時のランディングパターンの補正について、説明すると、図７乃至図９はランディングのバラツキの要因を示したものであり、図７は画面全体が右側にシフトしている状態を示す図である。実際は右側にシフトしている軸端を示しており、点線は補正後の軸端の位置を示している。この場合には、第１〜第４のランディング補正コイル１１６、１１７、１１８、１１９に同一方向の電流を流すことで、画面全体を左方向又は右方向に移動させ補正することができる。
【００１０】
図８はコーナーの軸端がツイストしている状態を示す図である。実際はコーナーの軸端が時計方向又は反時計方向にツイストしている状態を示している。
この場合には、第１のランディング補正コイル１１６と第３のランディング補正コイル１１８に流す電流、及び第２のランディング補正コイル１１７と第４のランディング補正コイル１１９に流す電流を互いに逆方向に流すことにより、コーナーのツイストを解消し補正することができる。
【００１１】
図９は、センターのツイストの補正を説明した図であり、実線はセンターの軸端が時計方向又は反時計方向にツイストしている状態を示しており、点線はセンターの軸端の補正後の状態を示している。この場合には、第５のランディング補正コイル１２０に流す電流の方向を調整することにより、センターのツイストを解消し補正することができる。
【００１２】
【特許文献１】
特開２００２−１０３０３号公報  （第３頁〜４頁  第１図）
【００１３】
【発明が解決しようとする課題】
しかしながら、従来技術で説明したファンネルコーナー部にコイルを取付けた構造のランディング補正装置においては、電子ビームの軌道の変化は、図１０に示すように、コーナー部又は陰極線管１１１のＸ軸端にのみ限られてしまい、陰極線管１１１のＸ軸中間部に発生する色むらは補正できないという問題がある。
これは、低気圧の環境におかれると、その陰極線管１１１の内部気圧と外気圧の差で陰極線管１１１自体が膨張することで、陰極線管１１１のＸ軸中間部における電子ビームの軌道が補正できないため、色むらが発生するためである。
【００１４】
従って、気圧の変化により陰極線管自体が膨張したときに、電子ビームの軌道の変化に基づく陰極線管のＸ軸中間部で発生する色むらを補正することに解決しなければならない課題を有する。
【００１５】
【課題を解決するための手段】
上記課題を解決するために、本発明に係るランディング補正装置及びディスプレイ装置は、次に示す構成にすることである。
【００１６】
（１）ランディング補正装置は、陰極線管のネック部に垂直に取付けた２極電磁コイルと、電子ビームを偏向させる水平・垂直同期信号に同期したタイミング信号を発生させるタイミング発生手段と、気圧に対応し且つ画面位置に対応した補正データを記憶する記憶手段と、前記タイミング発生手段からのタイミング信号に同期して前記気圧に対応した補正データを前記記憶手段から読み出し、該読み出した補正データに基づいて前記２極電磁コイルに供給する補正波形電流を生成する電流変換手段と、を備えたことである。
【００１７】
（２）ディスプレイ装置は、陰極線管と、該陰極線管のランディング補正するランディング装置とを備えたディスプレイ装置であって、前記ランディング補正装置は、前記陰極線管のネック部に垂直に取付けた２極電磁コイルと、電子ビームを偏向させる水平・垂直同期信号に同期したタイミング信号を発生させるタイミング発生手段と、気圧に対応し且つ画面位置に対応した補正データを記憶する記憶手段と、前記タイミング発生手段からのタイミング信号に同期して前記気圧に対応した補正データを前記記憶手段から読み出し、該読み出した補正データに基づいて前記２極電磁コイルに供給する補正波形電流を生成する電流変換手段と、を備えたことである。
【００１８】
このように、気圧に対応した補正データを記憶手段から読み出して、この補正データに基づく補正波形電流を２極電磁コイルに供給するようにしたことで、陰極線管の内部気圧と外部気圧の差で陰極線管自体が膨張した時に発生するＸ軸中間部における色むらを補正することができる。
【００１９】
【発明の実施の形態】
次に、本願発明に係るランディング補正装置及びディスプレイ装置の実施形態について図面を参照して説明する。
【００２０】
ランディング補正装置を内蔵したディスプレイ装置１０は、図１に示すように、陰極線管１１と、この陰極線管１１のランディング補正するランディング補正装置１２とを備えた構成になっている。
陰極線管１１は、方形状の正面形状を有するフェースパネル部１２と、フェースパネル部１２の後方に接合されたファンネル部１３と、ファンネル部１３の後部に接合された電子銃１５を内蔵したネック部１４とから構成されている。
【００２１】
ファンネル部１３であって、フェースパネル部１２の背面側の四隅に対してそれぞれ第１〜第４のランディング補正コイル（図示せず）が設けられている。
フェースパネル部１２の周囲には第５のランディン補正コイル（図示せず）が設けられている。
【００２２】
更に、ネック部１４には偏向ヨーク２１が設けられている。偏向ヨーク２１は、図示せぬ垂直偏向コイル及び水平偏向コイル等より構成されている。
このネック部１４には、更に垂直方向になるように２極電磁コイル２３を取付けた構成になっている。
【００２３】
ランディング補正装置１２は、図１及び図２に示すように、陰極線管１１のネック部１４に垂直に取付けた２極電磁コイル２３と、電子ビームを偏向させる水平・垂直同期信号２４，２５に同期したタイミング信号を発生させるタイミング発生手段２６と、気圧に対応し且つ画面位置に対応した補正データを記憶する記憶手段２７と、タイミング発生手段２６からのタイミング信号に同期して気圧に対応した補正データを記憶手段２７から読み出し、この読み出した補正データに基づいて２極電磁コイル２３に供給する補正波形電流を生成する電流変換手段２８と、を備えた構成になっている。
【００２４】
２極電磁コイル２３は、陰極線管１１のネック部１４の垂直方向上下位置に配置させるもので、上下位置に配置する２極電磁コイル２３は並列又は直列に接続し、電流変換手段２８へ接続する。
この２極電磁コイル２３は、実施例において銅線を数１０ターン巻いたものを使用し、電子ビームの移動量が少ない場合はコア付きコイルでもよい。又、２極電磁コイル２３の位置を固定させるために、ボビンにコイルを巻き付けた構造、又は２極電磁コイル２３自体をテープ等でネック部１４に固定した構造でもよい。
【００２５】
記憶手段２７は、所謂、メモリであり、例えば画面上を縦１１×横１１に分割して、各位置で必要な電子ビームの移動量に相当する振幅レベルである補正データを記憶させるものである。
この記憶手段２７に記憶されている補正データの量的切り替えは、図示しない気圧センサー、ユーザーメニュー、スイッチ等にて行い、メモリへ転送させるデータを連動させることにより、２極電磁コイル２３への出力振幅を可変させる。この出力振幅量は電流変換手段２８のパワーアンプでも可変可能である。
電流変換手段２８は、記憶手段２７からの読み出しは水平同期信号、垂直同期信号に同期させ、Ｄ／Ａ変換部でアナログ信号に変換し、広帯域パワーアンプに接続し、補正波形電流として２極電磁コイル２３に供給する。
【００２６】
ここで、ディスプレイ装置１０に内蔵されている陰極線管１１は、気圧の低い場所では色むら（ミスランディング）が発生する。この色むらが発生する原因は、陰極線管１１内部の気圧と外気圧の差で陰極線管１１自体が膨張することによるためである。
【００２７】
陰極線管１１内の気圧と低下した外気圧とに差が生じているときには、電子銃１５からの電子ビームが陰極線管１１のパネル内部の色選別機構を通り、フェースパネル部１２の蛍光面へ到達するが、この時のビーム入射角と膨張率との関係から色むらは、図３に示すように、陰極線管１１のＸ軸上の左右中心部に円形に発生する。外気圧が１０１３ｈｐａのときの画面はグリーン単色画面であるときに、外気圧が低下すると、左側の中心部ではレッド色の縞模様になり、右側の中心部ではブルー色の縞模様になる。
本願発明は、この色むらを補正するために、図１に示すように、陰極線管１１のネック部１４に２極電磁コイル２３を垂直方向になるようにして取付け、この２極電磁コイル２３へ記憶手段２７からの補正データに基づく補正波形電流を供給することで解決している。
【００２８】
さて、記憶手段２７から読み出した補正データに基づく補正波形電流の信号は、図４に示すように、テレビのビーム偏向回路で出力する水平同期信号に同期させたサイン波信号を垂直同期信号に同期させたパラボラ波信号で変調させた波形である。この補正波形電流の信号を２極電磁コイル２３に供給して発生させた磁界により、陰極線管１１のネック部１４内部を通る電子ビームを偏向させると電子ビームは蛍光面の正常な位置へ修正でき、色むらを補正することが可能となる。
【００２９】
このようにして、記憶手段２７に蓄積されている補正波形電流の信号は水平同期信号に同期させたサイン波信号を垂直同期信号に同期させたパラボラ波信号で変調させた波形となる。
【００３０】
この補正波形電流の信号について、更に詳しく説明すると、図４に示すように、垂直同期信号に同期されたパラボラ波信号で変調され、垂直同期信号に同期された信号のうち、水平同期信号に同期された信号は、水平同期信号の立ち上がりの前半部分が画面左側において、プラスの山型形状の信号が２極電磁コイル２３に印加され、後半部分が画面右側において、マイナスの山型形状の信号が２極電磁コイル２３に印加される。
【００３１】
このことは、図３に示すように、外気圧が低下したときに、画面の左側に発生する略レッド色の縞模様になる色むらパターンに対して、プラスの山型形状の信号を２極電磁コイル２３に供給することで、色むらパターンを打ち消し合うことができる。又、画面の右側に発生する画面の左側に発生する色むらパターンと正反対の略ブルー色の縞模様になる色むらパターンに対しては、マイナスの山型形状の信号を２極電磁コイル２３に供給することで、打ち消し合うことができる。
結局、画面の左右側に発生する正反対の色むらパターンに対して、この色むらパターンを打ち消し合う信号を２極電磁コイル２３に供給することで、陰極線管１１が高所地の気圧が低い場所に存在しているときに、陰極線管１１の内部気圧と外気圧の差で陰極線管１１が膨張することによる色むらパターンを打ち消すことができるのである。
このように、例えば、標高約１５００ｍ以上の地域にてディスプレイ装置（テレビジョンセット）１０を使用すると、外気圧と陰極線管１１内部の気圧差により、画面左右中間部に発生する色むらを、補正波形電流を２極電磁コイル２３に供給することで色むらを消去することが可能になる。
【００３２】
従来においては、高地専用の調整したディスプレイ装置（テレビジョンセット）が必要となるが、このランディング補正装置を使用すれば、標高に合わせた微調整が可能であり、色むらを完全に無くすことができる。
【００３３】
【発明の効果】
以上説明したように、本願発明のランディング補正装置及びディスプレイ装置は、外気圧と陰極線管の内部気圧の気圧差により、画面左右中間部に色むらが発生しても、２極電磁コイルに補正波形電流を供給することで、電子ビームの偏向を修正することで色むらを無くすことができるという効果がある。
【図面の簡単な説明】
【図１】本発明に係るディスプレイ装置を略示的に示した説明図である。
【図２】同、ランディング補正装置のブロック図である。
【図３】同、外気圧と外気圧の低下したときの画面の様子を示した説明図である。
【図４】同、補正波形データを変調した様子を示した波形図である。
【図５】従来技術における陰極線管を背面からみた斜視図である。
【図６】従来技術における補正コイルを調整する回路である。
【図７】従来技術における画面全体が右側にシフトした様子を示す説明図である。
【図８】従来技術における画面においてコーナーツイストの様子を示す説明図である。
【図９】従来技術における画面において、センターツイストの様子を示す説明図である。
【図１０】従来技術における画面の調整可能範囲を示した説明図である。
【符号の説明】
１１；陰極線管、１２；フェースパネル部、１３；ファンネル部、１４；ネック部、１５；電子銃、２２；ランディング補正装置、２３；２極電磁コイル、２４；垂直同期信号、２５；水平同期信号、２６；タイミング発生手段、２７；記憶手段、２８；電流変換手段。
【図１】
2005020149.tif 000003
【図２】
2005020149.tif 000004
【図３】
2005020149.tif 000005
【図４】
2005020149.tif 000006
【図５】
2005020149.tif 000007
【図６】
2005020149.tif 000008
【図７】
2005020149.tif 000009
【図８】
2005020149.tif 000010
【図９】
2005020149.tif 000011
【図１０】
2005020149.tif 000012